(57)【要約】  本発明は、乾燥システム、洗濯乾燥一体機及びその制御方法を開示する。乾燥システムは洗濯乾燥一体機として配置され、前記洗濯乾燥一体機は並列配置される第１のドラム及び第２のドラムを備え、前記乾燥システムはダクトコンポーネントを備え、前記ダクトコンポーネントにはダクト制御装置が配置され、ダクト制御装置は前記ダクトコンポーネントと前記第１のドラムとを連通又は隔絶させること、及び／又は、前記ダクトコンポーネントと前記第２のドラムとを連通又は隔絶させることによって、乾燥気流を前記第１のドラム及び／又は前記第２のドラムの中に送入する。本発明の一実施例により提供される乾燥システムは、ダブルドラム式の洗濯乾燥一体機における２つのドラムにより共用されることができる。したがって、１台の洗濯乾燥一体機の乾燥容量を増やすとともに、洗濯乾燥一体機の製造コストを低減し、洗濯乾燥一体機が占めるスペースを節約することができる。
2021508568.tif 000002
【特許請求の範囲】
【請求項１】
洗濯乾燥一体機として配置される乾燥システムであって、
前記洗濯乾燥一体機は、並列配置される第１のドラム及び第２のドラムを備え、
前記乾燥システムはダクトコンポーネントを備え、前記ダクトコンポーネントの中においてはダクト制御装置が配置されており、
前記ダクト制御装置は、前記ダクトコンポーネントと前記第１のドラムとを連通又は隔絶させること、及び／又は、前記ダクトコンポーネントと前記第２のドラムとを連通又は隔絶させることによって、乾燥気流を前記第１のドラム及び／又は前記第２のドラムの中に送入する
ことを特徴とする乾燥システム。
【請求項２】
前記乾燥システムは送風コンポーネントと乾燥コンポーネントとを備え、
前記送風コンポーネントは気流を作成して、前記乾燥コンポーネントにより発生される熱を前記ダクトコンポーネントを介して前記第１のドラム及び／又は前記第２のドラムに送入する
ことを特徴とする請求項１に記載の乾燥システム。
【請求項３】
前記ダクトコンポーネントは送風ダクト、第１の給気ダクト及び第２の給気ダクトを備え、前記送風ダクトは前記送風コンポーネントの送風部と連通し、前記第１の給気ダクトは前記送風ダクトと前記第１のドラムとを連通させ、前記第２の給気ダクトは前記送風ダクトと前記第２のドラムとを連通させ、及び／又は、
前記ダクトコンポーネントは第１の空気回収管と第２の空気回収管とを備え、前記第１の空気回収管は、前記第１のドラムと前記送風コンポーネントの空気回収部とを連通させ、前記第２の空気回収管は、前記第２のドラムと前記送風コンポーネントの空気回収部とを連通させる
ことを特徴とする請求項２に記載の乾燥システム。
【請求項４】
前記ダクト制御装置は、前記送風ダクトと前記第１の給気ダクトと前記第２の給気ダクトとの三者の交差部に配置される板状方向変換機関を備え、又は、
前記ダクト制御装置は、前記第１の給気ダクトと前記第２の給気ダクトとのそれぞれに配置される開閉部品を備える
ことを特徴とする請求項３に記載の乾燥システム。
【請求項５】
前記板状方向変換機関が第１の位置まで回転すると、前記第２の給気ダクトの入口が遮断されて、前記送風ダクトと前記第１の給気ダクトとが連通し、
前記板状方向変換機関が第２の位置まで回転すると、前記第１の給気ダクトの入口が遮断されて、前記送風ダクトと前記第２の給気ダクトとが連通し、
前記板状方向変換機関が第１の位置と第２の位置との間の位置まで回転すると、前記送風ダクトと前記第１の給気ダクトと前記第２の給気ダクトとの三者が互いに連通する
ことを特徴とする請求項４に記載の乾燥システム。
【請求項６】
前記第１の給気ダクト及び／又は前記第２の給気ダクトは、少なくとも一部が蛇腹管であり、及び／又は、
前記第１の空気回収管及び／又は前記第２の空気回収管は、少なくとも一部が蛇腹管である
ことを特徴とする請求項３に記載の乾燥システム。
【請求項７】
前記乾燥コンポーネントは熱ポンプシステムを備え、前記熱ポンプシステムにおける蒸発器と凝縮器とは、前記ダクトコンポーネントの中で乾燥気流の流れ方向に沿って順次配置され、又は、
前記乾燥コンポーネントは電気加熱装置を備え、前記電気加熱装置は少なくとも部分的に前記ダクトコンポーネントの中に配置される
ことを特徴とする請求項２に記載の乾燥システム。
【請求項８】
乾燥気流の流れ方向において、前記熱ポンプシステムは前記送風コンポーネントの上流側に配置され、又は、
乾燥気流の流れ方向において、前記電気加熱装置は前記送風コンポーネントの下流側に配置される
ことを特徴とする請求項７に記載の乾燥システム。
【請求項９】
並列配置される第１のドラム及び第２のドラムと、請求項１乃至８のいずれか一項に記載の乾燥システムと、を備える
ことを特徴とする洗濯乾燥一体機。
【請求項１０】
陰イオン除菌コンポーネントを更に備え、
前記陰イオン除菌コンポーネントは、少なくとも部分的に前記ダクトコンポーネントの中に配置されて、前記ダクトコンポーネントを介して前記第１のドラム及び／又は前記第２のドラムへ陰イオンを供給し、及び／又は、
前記第１のドラムと前記第２のドラムとは、上下方向において並列配置される
ことを特徴とする請求項９に記載の洗濯乾燥一体機。
【請求項１１】
前記第１のドラム及び／又は前記第２のドラムの振動を抑制する制振システムを更に備える
ことを特徴とする請求項９又は１０に記載の洗濯乾燥一体機。
【請求項１２】
前記制振システムは、
前記第１のドラムの下方に配置されるダンパーと、前記第２のドラムの下方に配置されるダンパーと、前記第１のドラムの上方に配置される制振ばねと、前記第２のドラムの上方に配置される制振ばねと、のうちの少なくとも１つを備える
ことを特徴とする請求項１１に記載の洗濯乾燥一体機。
【請求項１３】
乾燥モードへ切り替えるとのリクエストを受信した後、前記第１のドラム及び前記第２のドラムの動作モードを検出するステップＳ１００と、
検出結果に従って、
前記第１のドラムが乾燥モードになっており且つ前記第２のドラムが乾燥モードになっていない場合、前記ダクト制御装置によって前記ダクトコンポーネントと前記第１のドラムとを連通させるとともに、前記ダクトコンポーネントと前記第２のドラムとを隔絶させること、
前記第１のドラムが乾燥モードになっておらず且つ前記第２のドラムが乾燥モードになっている場合、前記ダクト制御装置によって前記ダクトコンポーネントと前記第１のドラムとを隔絶させるとともに、前記ダクトコンポーネントと前記第２のドラムとを連通させること、
前記第１のドラムと前記第２のドラムとが両方とも乾燥モードになっている場合、前記ダクト制御装置によって前記ダクトコンポーネントと前記第１のドラムとを連通させるとともに、前記ダクトコンポーネントと前記第２のドラムとを連通させること、を実行するステップＳ２００と、
前記乾燥システムを制御して乾燥動作を実行させるステップＳ３００と、を含む
ことを特徴とする請求項９乃至１２のいずれか一項に記載の洗濯乾燥一体機を制御する方法。
【発明の詳細な説明】
【技術分野】
【０００１】
本発明は洗濯機技術分野に関し、特に乾燥システム、洗濯乾燥一体機及びその制御方法に関する。
【背景技術】
【０００２】
購買力の向上につれて、人々の生活品質への期待度がますます高まってきた。普段、洗濯された衣類は自然に乾かされているが、空気品質が良くない季節の場合、外で乾かされる衣類は細菌やほこりにより二次汚染されてしまうため、人々の健康に悪い影響を与えてしまう。それを受けて、市場中では衣類乾燥装置又は洗濯乾燥一体機の人気がますます高くなってきた。しかし、現在市販の衣類乾燥装置は乾燥機能のみの機種がほとんどであり、このような機種は洗濯機能の機種と一緒に使用されなければならない。つまりユーザは２台の異なる装置を購入して一緒に使用しなければならない。こうすると、装置の体積が大きくて住宅内のスペースをたくさん占めてしまうだけでなく、ユーザの購買コストも上がってしまう。また、現在市場中の洗濯乾燥一体機の場合、洗濯機能と乾燥機能を兼備するため、乾燥容量は通常小さく設計されており、洗濯容量の５０％−６０％しかない。そこで、洗濯した衣類が多い場合、ユーザは２回以上に分けて乾燥を行わなければならず、１回の乾燥が約２時間以上もかかってしまう。このような機種はユーザに不便をかけるだけでなく、ユーザの時間も無駄にしてしまう。さらに、市場中にはダブルドラム式の洗濯乾燥一体機も存在している。しかしながら、このような洗濯乾燥一体機は、２つのドラムそれぞれの乾燥システムが配置されるため、製造コストが高く、多くのスペースを占めてしまう。
【発明の概要】
【発明が解決しようとする課題】
【０００３】
本発明の少なくとも一部の実施例は、関連技術により提供されるダブルドラム式の洗濯乾燥一体機における、２つのドラムそれぞれの乾燥システムが配置されて製造コストが高くなり且つ多くのスペースを占めてしまう課題を、少なくとも部分的に解決するために、ダブルドラム式の洗濯乾燥一体機として配置される乾燥システムを提供する。
【課題を解決するための手段】
【０００４】
本発明の一実施例によると、洗濯乾燥一体機として配置される乾燥システムを提供する。前記洗濯乾燥一体機は並列配置される第１のドラム及び第２のドラムを備える。ここで、前記乾燥システムはダクトコンポーネントを備え、前記ダクトコンポーネントの中においてはダクト制御装置が配置される。前記ダクト制御装置は、前記ダクトコンポーネントと前記第１のドラムとを連通又は隔絶させること、及び／又は、前記ダクトコンポーネントと前記第２のドラムとを連通又は隔絶させることによって、乾燥気流を前記第１のドラム及び／又は前記第２のドラムの中に送入する。
【０００５】
選択的に、一実施例において、前記乾燥システムは送風コンポーネントと乾燥コンポーネントとを備える。前記送風コンポーネントは気流を作成して、前記乾燥コンポーネントにより発生される熱を前記ダクトコンポーネントを介して前記第１のドラム及び／又は前記第２のドラムに送入する。
【０００６】
選択的に、一実施例において、前記ダクトコンポーネントは送風ダクト、第１の給気ダクト及び第２の給気ダクトを備える。ここで、前記送風ダクトは前記送風コンポーネントの送風部と連通し、前記第１の給気ダクトは前記送風ダクトと前記第１のドラムとを連通させ、前記第２の給気ダクトは前記送風ダクトと前記第２のドラムとを連通させる。
【０００７】
及び／又は、前記ダクトコンポーネントは第１の空気回収管と第２の空気回収管とを備える。ここで、前記第１の空気回収管は、前記第１のドラムと前記送風コンポーネントの空気回収部とを連通させ、前記第２の空気回収管は、前記第２のドラムと前記送風コンポーネントの空気回収部とを連通させる。
【０００８】
選択的に、一実施例において、前記ダクト制御装置は、前記送風ダクトと前記第１の給気ダクトと前記第２の給気ダクトとの三者の交差部に配置される板状方向変換機関を備える。
【０００９】
又は、前記ダクト制御装置は、前記第１の給気ダクトと前記第２の給気ダクトとのそれぞれに配置される開閉部品を備える。
【００１０】
選択的に、一実施例においては、前記板状方向変換機関が第１の位置まで回転すると、前記第２の給気ダクトの入口が遮断されて、前記送風ダクトと前記第１の給気ダクトとが連通する。前記板状方向変換機関が第２の位置まで回転すると、前記第１の給気ダクトの入口が遮断されて、前記送風ダクトと前記第２の給気ダクトとが連通する。前記板状方向変換機関が第１の位置と第２の位置との間の位置まで回転すると、前記送風ダクトと前記第１の給気ダクトと前記第２の給気ダクトとの三者が互いに連通する。
【００１１】
選択的に、一実施例において、前記第１の給気ダクト及び／又は前記第２の給気ダクトは、少なくとも一部が蛇腹管である。
【００１２】
及び／又は、前記第１の空気回収管及び／又は前記第２の空気回収管は、少なくとも一部が蛇腹管である。
【００１３】
選択的に、一実施例において、前記乾燥コンポーネントは熱ポンプシステムを備える。前記熱ポンプシステムにおける蒸発器と凝縮器とは、前記ダクトコンポーネントの中で乾燥気流の流れ方向に沿って順次配置される。
【００１４】
又は、前記乾燥コンポーネントは電気加熱装置を備える。前記電気加熱装置は、少なくとも部分的に前記ダクトコンポーネントの中に配置される。
【００１５】
選択的に、一実施例においては、乾燥気流の流れ方向において、前記熱ポンプシステムは前記送風コンポーネントの上流側に配置される。
【００１６】
又は、乾燥気流の流れ方向において、前記電気加熱装置は前記送風コンポーネントの下流側に配置される。
【００１７】
本発明の一実施例によると、並列配置される第１のドラム及び第２のドラムと、前記の乾燥システムと、を備える洗濯乾燥一体機を更に提供する。
【００１８】
選択的に、一実施例においては、陰イオン除菌コンポーネントを更に備える。前記陰イオン除菌コンポーネントは少なくとも部分的に前記ダクトコンポーネントの中に配置されて、前記ダクトコンポーネントを介して前記第１のドラム及び／又は前記第２のドラムへ陰イオンを供給する。
【００１９】
及び／又は、前記第１のドラムと前記第２のドラムとは、上下方向において並列配置される。
【００２０】
選択的に、一実施例においては、前記第１のドラム及び／又は前記第２のドラムの振動を抑制する制振システムを更に備える。
【００２１】
選択的に、一実施例において、前記制振システムは、前記第１のドラムの下方に配置されるダンパーと、前記第２のドラムの下方に配置されるダンパーと、前記第１のドラムの上方に配置される制振ばねと、前記第２のドラムの上方に配置される制振ばねと、のうちの少なくとも１つを備える。
【００２２】
本発明の一実施例によると、上述の洗濯乾燥一体機の制御方法を更に提供する。当該方法は、以下のステップを含む。
【００２３】
Ｓ１００：乾燥モードへ切り替えるとのリクエストを受信した後、前記第１のドラム及び前記第２のドラムの動作モードを検出する。
【００２４】
Ｓ２００：検出結果に従って以下の動作を実行する。
【００２５】
前記第１のドラムが乾燥モードになっており且つ前記第２のドラムが乾燥モードになっていない場合、前記ダクト制御装置によって前記ダクトコンポーネントと前記第１のドラムとを連通させるとともに、前記ダクトコンポーネントと前記第２のドラムとを隔絶させる。
【００２６】
前記第１のドラムが乾燥モードになっておらず且つ前記第２のドラムが乾燥モードになっている場合、前記ダクト制御装置によって前記ダクトコンポーネントと前記第１のドラムとを隔絶させるとともに、前記ダクトコンポーネントと前記第２のドラムとを連通させる。
【００２７】
前記第１のドラムと前記第２のドラムとが両方とも乾燥モードになっている場合、前記ダクト制御装置によって前記ダクトコンポーネントと前記第１のドラムとを連通させるとともに、前記ダクトコンポーネントと前記第２のドラムとを連通させる。
【００２８】
Ｓ３００：前記乾燥システムを制御して、乾燥動作を実行させる。
【発明の効果】
【００２９】
本発明の少なくとも一部の実施例は、ダブルドラム式の洗濯乾燥一体機における２つのドラムにより共用される乾燥システムを提供することによって、１台の洗濯乾燥一体機の乾燥容量を増やすとともに、洗濯乾燥一体機の製造コストを低減し、洗濯乾燥一体機が占めるスペースを節約することができる。
【図面の簡単な説明】
【００３０】
以下、図面を参照しながら本発明の一実施例により提供される洗濯乾燥一体機の選択的な実施形態について説明する。
【図１】本発明の一実施例に係る洗濯乾燥一体機の正面模式図である。
【図２】本発明の一実施例に係る洗濯乾燥一体機の側面模式図である。
【図３】本発明の一実施例に係る洗濯乾燥一体機におけるダクトコンポーネントの第１の状態を示す模式図である。
【図４】本発明の一実施例に係る洗濯乾燥一体機におけるダクトコンポーネントの第２の状態を示す模式図である。
【図５】本発明の一実施例に係る洗濯乾燥一体機におけるダクトコンポーネントの第３の状態を示す模式図である。
【図６】本発明の一実施例に係る乾燥システムの乾燥コンポーネントとして熱ポンプシステムが採用された場合の原理図である。
【図７】本発明の一実施例に係る乾燥システムの乾燥コンポーネントとして電気加熱装置が採用された場合の原理図である。
【図８】本発明の一実施例に係る洗濯乾燥一体機の制御方法を示すフローチャートである。
【発明を実施するための形態】
【００３１】
図１及び図２に示すように、衣類乾燥に対するユーザの実際ニーズを考慮したうえ、本発明の一実施例は洗濯乾燥一体機を提供する。当該洗濯乾燥一体機は、駆動メカニズム（例えば、メインモータ１０）、第１のドラム及び第２のドラムを備える。前記第１のドラムは洗濯乾燥ドラム、すなわち洗濯機能と乾燥機能を両方とも有するドラムであってもよい。第１のドラムは、第１の外部ドラム３と、前記第１の外部ドラム３により内包される第１の内部ドラム４と、を備えてもよい。前記第２のドラムは洗濯乾燥ドラム、すなわち洗濯機能と乾燥機能を両方とも有するドラムであってもよく、乾燥機能のみを有する乾燥ドラムであってもよい。前記第２のドラムは、第２の外部ドラム１と、前記第２の外部ドラム１により内包される第２の内部ドラム２と、を備えてもよい。前記第１のドラムと前記第２のドラムとは並列配置される。選択的に、一実施例において、前記第１のドラムと前記第２のドラムとは上下方向において並列配置され、第１のドラムが下にあり、第２のドラムが上にある。前記第１のドラムと前記第２のドラムとは両方とも前記駆動メカニズムに接続されて、前記駆動メカニズムにより駆動されて回転する。
【００３２】
本発明の一実施例により提供される洗濯乾燥一体機はダブルドラム式の設計を採用し、第１のドラムと第２のドラムとの両方とも乾燥動作を実行することができるため、装置全体の乾燥容量が向上する。したがって、ユーザは洗濯したすべての衣類を一度で乾燥することができるため、ユーザの時間と購買コストが節約されるとともに、２台の装置を用意する必要がなくなって住宅内のスペースも節約される。
【００３３】
例えば、第１のドラムの洗濯容量が１０キログラムであれば、第１のドラムの最大の乾燥容量は６キログラムである。第２のドラムの洗濯容量が１０キログラムであれば、第２のドラムの最大の乾燥容量も６キログラムである。つまり、本発明の一実施例により提供される洗濯乾燥一体機は最大で２０キログラムを洗濯し、１２キログラムを乾燥することができる。通常、ユーザは２０キログラムの衣類を一回で洗濯する必要がない。例えば、１０キログラムの衣類を洗濯する場合、ユーザは第１のドラムを用いて洗濯を行ってから、衣類を分けて第１のドラムと第２のドラムとのそれぞれに入れて同時に乾燥を行うことができる。したがって、一回の洗濯物を一度で乾燥して、時間を節約することができる。
【００３４】
上述の洗濯乾燥一体機に対して、本発明の一実施例は、乾燥システムを更に提供する。前記乾燥システムはダクトコンポーネントを備える。前記ダクトコンポーネントにおいてはダクト制御装置が配置されている。前記ダクト制御装置は、前記ダクトコンポーネントと前記第１のドラムとを連通させるか又は隔絶させること、及び／又は、前記ダクトコンポーネントと前記第２のドラムとを連通させるか又は隔絶させることによって、乾燥気流を前記第１のドラム及び／又は前記第２のドラムの中に送入する。言い換えると、ダクトコンポーネントは第１のドラム及び第２のドラムの両方に連結されているが、それらと連通するか否かは、必要によって前記ダクト制御装置により制御される。
【００３５】
したがって、本発明の一実施例により提供される乾燥システムは、洗濯乾燥一体機の第１のドラム及び第２のドラムの乾燥ニーズを同時に満足することができる。つまり、洗濯乾燥一体機にとっては１つの乾燥システム（すなわち、乾燥機能を実現するためのコア部品、例えば乾燥コンポーネントや送風コンポーネントなど）しか要らない。このように、コストが下がり、占めるスペースが少なくなるため、洗濯乾燥一体機の製造コストが低減し、洗濯乾燥一体機の体積が小さくなる。
【００３６】
選択的に、一実施例において、図１−２に示すように、本発明の一実施例により提供される乾燥システムは、送風コンポーネント１４及び乾燥コンポーネント１３を更に備える。前記送風コンポーネント１４は気流を作成する。前記ダクトコンポーネントは前記第１のドラム及び前記第２のドラムの両方とも連結され、すなわちドラムの内部空間と連通する。よって、前記送風コンポーネント１４により作成される気流は、前記乾燥コンポーネント１３により発生された熱を前記ダクトコンポーネントを介して前記第１のドラム及び／又は前記第２のドラムに送入して、乾燥気流を形成することができる。選択的に、一実施例において、送風コンポーネント１４及び乾燥コンポーネント１３は両方とも、前記第１のドラムと前記第２のドラムとの間の位置に配置される。例えば、上下方向において、両方とも筐体１００内の中部位置に配置される。例えば、両方ともボルトによって筐体１００内の支え台（図示せず）に固定される。
【００３７】
選択的に、一実施例において、図１に示すように、前記ダクトコンポーネントは送風ダクト１５、第１の給気ダクト１８及び第２の給気ダクト１６を備える。前記送風ダクト１５は前記送風コンポーネント１４の送風部と連通する。前記第１の給気ダクト１８は、前記送風ダクト１５と前記第１のドラムとを連通させる。前記第２の給気ダクト１６は、前記送風ダクト１５と前記第２のドラムとを連通させる。言い換えると、前記第１の給気ダクト１８の一端は前記送風ダクト１５と連通し、他端は前記第１のドラム（具体的には第１の外部ドラム３である）の内部と連通する。前記第２の給気ダクト１６の一端は前記送風ダクト１５と連通し、他端は前記第２のドラム（具体的には第２の外部ドラム１である）の内部と連通する。選択的な実施形態として、前記第１の給気ダクト１８の一端と、前記第２の給気ダクト１６の一端と、前記送風ダクト１５の一端とは、互いに交差する。
【００３８】
選択的に、一実施例において、前記第１のドラムの上部には第１の給気口（図示せず、詳しくは図１−２において矢印で示された気流循環経路を参照してもよい）が設置されており、前記第１の給気ダクト１８は前記第１の給気口につながる。送風コンポーネント１４が第１のドラムの上方に位置するため、第１の給気口を第１のドラムの上部に設置することによって、ダクトコンポーネントの配置をより簡単化し、第１の給気ダクト１８の長さを減少することができる。
【００３９】
選択的に、一実施例において、前記第２のドラムの下部には第２の給気口（図示せず、詳しくは図１−２において矢印で示された気流循環経路を参照してもよい）が設置されており、前記第２の給気ダクト１６は前記第２の給気口につながる。第２のドラムが送風コンポーネント１４の上方に位置するため、第２の給気口を第２のドラムの底部に設置したほうが好適であり、第２の給気ダクト１６の長さを減少することができる。
【００４０】
選択的に、一実施例において、図１−２に示すように、前記ダクトコンポーネントは第１の空気回収管１９及び第２の空気回収管２０を更に備える。前記第１の空気回収管１９は、前記第１のドラムと前記送風コンポーネント１４の空気回収部とを連通させる。前記第２の空気回収管２０は、前記第２のドラムと前記送風コンポーネント１４の空気回収部とを連通させる。選択的な一実施形態として、乾燥コンポーネント１３は送風コンポーネント１４の上流側に配置される。そこで、第１の空気回収管１９及び第２の空気回収管２０は両方とも、乾燥コンポーネント１３を通して前記送風コンポーネント１４の空気回収部と連通する。したがって、第１の空気回収管１９及び第２の空気回収管２０から戻ってくる気流は、乾燥コンポーネント１３と熱交換を行ってから、送風コンポーネント１４により対応するドラムの中まで送入される。
【００４１】
選択的に、一実施例において、前記第１のドラムの上部には第１の排気口（図示せず、詳しくは図１−２において矢印で示された気流循環経路を参照してもよい）が設置されており、前記第１の空気回収管１９は前記第１の排気口につながる。乾燥気流が第１のドラムの内部で流れる経路を最大限に長くして乾燥効果を向上させるために、前記第１の排気口と前記第１の給気口との間の距離を最大限に大きくすることが好ましい。そのため、第１の外部ドラム３の上部の前後方向における一側（例えば、後ろ側）に第１の給気口を設置し、他側（例えば、前側）に第１の排気口を設置する。
【００４２】
選択的に、一実施例において、前記第２のドラムの上部には第２の排気口（図示せず、詳しくは図１−２において矢印で示された気流循環経路を参照してもよい）が設置されており、前記第２の空気回収管２０は前記第２の排気口につながる。言い換えると、乾燥気流は第２のドラムの底部から入って頂部から出ることができ、したがってその流れる経路が十分長く、乾燥効果が向上される。
【００４３】
選択的に、一実施例において、前記ダクト制御装置は、前記送風ダクト１５と前記第１の給気ダクト１８と前記第２の給気ダクト１６との三者の交差部において配置される板状方向変換機関１７を備える。板状方向変換機関１７は、駆動モータにより駆動されてもよい。板状方向変換機関１７が異なる角度まで回転することによって、送風コンポーネント１４から吹き出される空気は、第２のドラム及び／又は第１のドラムに送入されるようになる。詳細は図３−５を参照してもよい。図３に示される第１の状態によると、板状方向変換機関１７は第１の位置まで回転する。例えば、上方向に向いて、第２の給気ダクト１６の軸線と垂直になる位置まで回転して、第２の給気ダクト１６の入口を完全に遮断し、第１の給気ダクト１８の入口を完全に開放する。すなわち、送風ダクト１５と第１の給気ダクト１８とが連通する。したがって、送風コンポーネント１４により吹き出される空気は第１のドラムのみに送入される。図４に示される第２の状態によると、板状方向変換機関１７は第２の位置まで回転する。例えば、下方向に向いて、第１の給気ダクト１８の軸線と垂直になる位置まで回転して、第１の給気ダクト１８の入口を完全に遮断し、第２の給気ダクト１６の入口を完全に開放する。すなわち送風ダクト１５と第２の給気ダクト１６とは連通する。したがって、送風コンポーネント１４により吹き出される空気は第２のドラムのみに送入される。図５に示される第３の状態によると、板状方向変換機関１７は第１の位置と第２の位置との間の位置（中間位置と称されてもよい）まで回転するため、第１の給気ダクト１８の入口と第２の給気ダクト１６の入口との両方とも開放される。すなわち、送風ダクト１５は、第１の給気ダクト１８及び第２の給気ダクト１６と同時に連通する。したがって、送風コンポーネント１４により吹き出される空気は、第１のドラム及び第２のドラムに同時に送入される。
【００４４】
選択的に、一実施例において、前記ダクト制御装置は、前記第１の給気ダクト１８と前記第２の給気ダクト１６とのそれぞれを個別で連通又は隔絶させるために、第１の給気ダクト１８と第２の給気ダクト１６とのそれぞれに設置される開閉部品、例えばバルブなど、を備えてもよい。
【００４５】
選択的に、一実施例において、前記第１の給気ダクト１８及び／又は前記第２の給気ダクト１６は、少なくとも一部が蛇腹管である。同じく、前記第１の空気回収管１９及び／又は前記第２の空気回収管２０は、少なくとも一部が蛇腹管である。例えば、第１の給気ダクト１８及び第２の給気ダクト１６はそれぞれ一部の蛇腹管を含み、第１の空気回収管１９及び第２の空気回収管２０もそれぞれ一部の蛇腹管を含む。例えば、当該蛇腹管は図１に示される蛇腹管２０１である。蛇腹管はある程度の伸縮性を有するため、対応するドラムが揺れる（又は振動する）場合、蛇腹管を含む給気ダクトや空気回収管は自己補正を行って、自身の破壊を防ぐことができる。
【００４６】
選択的に、一実施例において、前記ダクトコンポーネントはプラスチック部品とゴム部品から構成されてもよい。プラスチック部品は気流が流れる通路、例えば各給気ダクトと空気回収管として配置される。ゴム部品は、回転しないプラスチック部品と回転するドラムとを接続するように配置される。また、ゴム部品に優れた伸縮性を与えるために、蛇腹状に設計してもよい。選択的に、一実施例において、プラスチック部品は、ブロー成形の加工法によって製作されることができ、材料としてＰＰ（ポリプロピレン）などが使用されてもよい。ゴム部品は、ＥＰＤＭ（エチレンプロピレンジエンゴム）材料から製作されることができる。
【００４７】
選択的に、一実施例において、本発明により提供される前記乾燥コンポーネント１３は、加熱機能をより簡単に果たせるよう、熱ポンプシステムを備えてもよい。図６に示すように、熱ポンプシステムは、圧縮機６１、凝縮器６２、流量制御装置６３及び蒸発器６４を備える。選択的に、一実施例において、前記蒸発器６４と前記凝縮器６２とは、前記ダクトコンポーネントの中において乾燥気流の流れ方向に沿って順次配置される。言い換えると、乾燥気流は、まずは蒸発器６４を通って、冷却されるとともに除湿されて乾燥した低温気流になり、次に凝縮器６２を通って、加熱されて乾燥した温風になり、そのあと、対応するドラムに送入されて、衣類を乾燥する。
【００４８】
選択的に、一実施例において、前記熱ポンプシステムは、乾燥気流の流れ方向において、前記送風コンポーネント１４の上流側に配置される。言い換えると、乾燥気流は順次に蒸発器６４、凝縮器６２、送風コンポーネント１４を通る。図６を参照すると、具体的な乾燥プロセスは以下通りである。
【００４９】
対象ドラム内における湿気を含んだ温風は、送風コンポーネント１４によりドラムの中から出され、まずは蒸発器６４を通る。蒸発器６４は、湿気を含んだ温風を、乾燥した冷風に変換させ、結露水を析出して、冷却と除湿を実現する。結露水は、蒸発器６４の底部に配置される集水装置（図示せず）に落ち、重力を受けて洗濯乾燥一体機の底部まで流れ、排水部により排出される。次に、乾燥した冷風は、凝縮器６２を通って加熱されて、乾燥した温風になり、送風コンポーネント１４により第２のドラムの底部及び／又は第１のドラムの後部から対象ドラムに送入され、濡れている衣類と接触して熱交換を行うことによって、衣類からの水分と一緒に湿気を含んだ温風を形成する。そのあと、湿気を含んだ温風は、送風コンポーネント１４の吸引力を受けて、対応する排気口から流れ出てから、再び蒸発器６４により冷却と除湿が行われる。このように繰り返して循環することによって、衣類の乾燥を実現する。
【００５０】
選択的に、一実施例において、前記乾燥コンポーネント１３は電気加熱装置７１を備える。図７に示すように、前記電気加熱装置７１は少なくとも一部が前記ダクトコンポーネントの中に配置されるため、電気加熱装置７１を通る気流は直接加熱されて温風になる。
【００５１】
選択的に、一実施例において、乾燥気流の流れ方向において、前記電気加熱装置７１は前記送風コンポーネント１４の下流側に配置される。すなわち、送風コンポーネント１４は電気加熱装置７１の前に配置される。図７を参照すると、具体的な乾燥プロセスは以下通りである。
【００５２】
対象ドラム内における湿気を含んだ温風は、送風コンポーネント１４によりドラムの中から出され、まずは第１の送風ダクト１９及び／又は第２の送風ダクト２０を通る。対応する送風ダクトの内壁において冷却水が流れており、湿気を含んだ温風は冷却水と接触して冷却されて、乾燥した空気になり、降温と除湿を実現する。凝縮される結露水は重力を受けて洗濯乾燥一体機の底部まで流れ、排水部により排出される。除湿されて乾燥した空気は、送風コンポーネント１４により電気加熱装置７１へ移動され、加熱されて乾燥した温風になる。乾燥した温風になるは、第２のドラムの底部及び／又は第１のドラムの後部から対象ドラムに送入され、濡れている衣類と接触して熱交換を行うことによって、衣類からの水分と一緒に湿気を含んだ温風を形成する。そのあと、湿気を含んだ温風は、送風コンポーネント１４の吸引力を受けて、対応する排気口から流れ出てから、再び対応する送風ダクトにおいて冷却水により除湿される。このように繰り返して循環することによって、衣類の乾燥を実現する。
【００５３】
図１及び図２に示すように、本発明の一実施例により提供される洗濯乾燥一体機において、前記第２のドラムは前記第１のドラムの上方に配置される。第１のドラムは、例えば、筐体１００の底部に近接する位置に配置される。第２のドラムは、例えば、筐体１００の頂部に近接する位置に配置される。ここで、筐体１００は洗濯乾燥一体機のハウジングであり、第１のドラムと第２のドラムなどの部品を支える。こうすると、本発明の一実施例により提供される洗濯乾燥一体機が占用するスペースは一般的な洗濯乾燥一体機と同じくらいになって、比較的に小さい。
【００５４】
選択的に、一実施例においては、筐体１００、第２の内部ドラム２及び第１の内部ドラム４に十分な強度を与えるために、金属材料を用いて製造することができる。詳しくは、第２の内部ドラム２及び第１の内部ドラム４に優れた耐腐食性を与えるために、ステンレス鋼で製造することができる。筐体１００は板金部品であってもよい。第１の外部ドラム３及び第２の外部ドラム１に対しては、同じ強度を確保するとともに生産コストを節約するために、ガラス繊維強化ポリプロピレンなどのプラスチック材料を用いて製造することができる。
【００５５】
選択的に、一実施例において、図１及び図２に示すように、前記駆動メカニズム（例えば、メインモータ１０）は、前記第１のドラムと前記第２のドラムとの間の位置に配置される。例えば、駆動メカニズムは、上下方向において、筐体１００内の中間位置に固定装着される。こうすると、駆動メカニズムは第１のドラム及び第２のドラムと同時に連動することができる。
【００５６】
選択的に、一実施例において、前記駆動メカニズムと前記第１のドラムとは、第１の動力伝達メカニズムを介して接続される。前記第１の動力伝達メカニズムは、図２に示すように第１の変速クラッチ１１を備えてもよく、及び／又は、前記駆動メカニズムと前記第２のドラムとが第２の動力伝達メカニズムを介して接続される。前記第２の動力伝達メカニズムは、図２に示すように、第２の変速クラッチ１２を備えてもよい。
【００５７】
例えば、図面に示す実施形態において、メインモータ１０と第１のドラムとの間には第１の変速クラッチ１１が配置されている。当該第１の変速クラッチ１１は、クラッチと変速機との両方の機能を同時に具備するため、第１の内部ドラム４が洗濯モード、脱水モード及び乾燥モードのそれぞれにおいて必要となる回転速度を提供することができる。第１の変速クラッチ１１のクラッチ機能を制御することによって、メインモータ１０による駆動力を第１のドラムに伝達するか又は遮断することができ、したがって第１のドラムが回転するか又は停止するように制御することができる。
【００５８】
同様に、メインモータ１０と第２のドラムとの間には第２の変速クラッチ１２が配置されている。当該第２の変速クラッチ１２は、クラッチと変速機との両方の機能を同時に具備するため、第２の内部ドラム２が洗濯モード、脱水モード及び乾燥モードのそれぞれにおいて必要となる回転速度を提供することができる。第２の変速クラッチ１２のクラッチ機能を制御することによって、メインモータ１０による駆動力を第２のドラムに伝達するか又は遮断することができ、したがって第２のドラムが回転するか又は停止するように制御することができる。
【００５９】
図２に示すように、第１の変速クラッチ１１及び第２の変速クラッチ１２は、メインモータ１０に対して同じ側に配置されるため、設置作業が簡単であり、両者のクラッチ機能も実現しやすい。選択的に、一実施例において、メインモータ１０、第１の変速クラッチ１１及び第２の変速クラッチ１２はすべてボルトによって筐体１００内の支え台（図示せず）に固定される。
【００６０】
選択的に、一実施例において、図２に示すように、前記第１のドラムには第１の動力伝達軸２２が設置されている。前記第１の動力伝達メカニズムは前記第１の動力伝達軸２２と接続されて、前記第１の動力伝達軸２２に動力を伝達する。例えば、図１−２に示すように、第１の動力伝達軸２２は前記第１のドラムの後部において、第１の三脚台２３を介して前記第１のドラムの第１の内部ドラム４と接続される。第１の動力伝達軸２２には、第１のベルト車９が設置されている。第１の伝動ベルト８は、前記第１のベルト車９と前記第１の変速クラッチ１１とを接続して、第１の変速クラッチ１１の出力端の動力を第１の内部ドラム４に伝達して、第１の内部ドラム４を回転させる。
【００６１】
選択的に、一実施例において、図２に示すように、前記第２のドラムには第２の動力伝達軸２６が設置されている。前記第２の動力伝達メカニズムは前記第２の動力伝達軸２６と接続されて、前記第２の動力伝達軸２６に動力を伝達する。例えば、図１−２に示すように、第２の動力伝達軸２６は前記第２のドラムの後部において、第２の三脚台２７を介して前記第２のドラムの第２の内部ドラム２と接続される。第２の動力伝達軸２６には、第２のベルト車２５が設置されている。第２の伝動ベルト７は、前記第２のベルト車２５と前記第２の変速クラッチ１２とを接続して、第２の変速クラッチ１２の出力端の動力を第２の内部ドラム２に伝達して、第２の内部ドラム２を回転させる。
【００６２】
以上の例示的な構造に基づいて、１つのメインモータ１０によって２つのドラムを駆動する技術案を簡単に実現することができる。各自のクラッチの自動切替機能によって、２つのドラムは、同時に回転するか又はそのうちの１つのみが回転することができるため、洗濯乾燥一体機は様々な動作モードを具備するようになる。
【００６３】
本発明の一実施例により提供される洗濯乾燥一体機において、第１のドラムと第２のドラムは駆動メカニズムを共用して有機的な組み合わせを構成する。したがって、装置全体の構造がよりコンパクトになるとともに、洗濯乾燥一体機の製造コストも低減する。
【００６４】
選択的に、一実施例において、本発明の一実施例により提供される洗濯乾燥一体機は、陰イオン除菌コンポーネント２１を更に備える。陰イオン除菌コンポーネント２１は、前記第１のドラム及び／又は前記第２のドラムに陰イオンを供給することによって、衣類と対象ドラムとのうちの少なくとも１つに対して除菌と消臭などの作業を行う。選択的に、一実施例において、陰イオン除菌コンポーネント２１は陰イオン発生器を備える。陰イオン発生器は前記ダクトコンポーネントの中に配置されてもよく、図２のように前記送風ダクト１５の中に配置されてもよい。作動時の前記陰イオン発生器は、空気の中の水分子をイオン化させて強酸化性のＯＨ−イオンを発生させてから、ＯＨ−イオンを前記ダクトコンポーネントによって対象ドラムに送入することによって、除菌と消臭を実現する。
【００６５】
選択的に、一実施例において、本発明の一実施例により提供される洗濯乾燥一体機は制振システムを更に備える。制振システムは、前記第１のドラム及び／又は前記第２のドラムの振動を緩和、抑制するように配置される。特に、前記制振システムは、前記第１のドラム及び／又は前記第２のドラムの筐体１００における位置が変化しないよう、前記第１のドラム及び／又は前記第２のドラムを吊るすか、支えるか、又は吊るしながら支える。
【００６６】
選択的に、一実施例において、前記制振システムは、前記第１のドラムの下方に配置されるダンパー６と、前記第２のドラムの下方に配置されるダンパー６と、前記第１のドラムの上方に配置される制振ばね２４と、前記第２のドラムの上方に配置される制振ばね５と、のうちの少なくとも１つを備える。例えば、筐体１００の上部及び中部においては、制振ばね５、２４を吊るすように設けられる吊るし構造が配置される。図面に示す実施形態において、制振システムは少なくとも、第２のドラムの上方に位置する１セットの制振ばね５（２つ以上）と、第１のドラムの外部ドラム３の上方に位置する１セットの制振ばね２４（２つ以上）と、外部ドラム３の底部に位置する少なくとも２つのダンパー６と、を備える。こうすると、制振システムは第１のドラム、第２のドラムに対して効果的に制振を行うことができる。
【００６７】
選択的に、一実施例において、前記第１の外部ドラム３と前記第２の外部ドラム１とは、構造的に接続されている。例えば、ボルトによって連結されるように配置されてもよい。
【００６８】
以下、本発明の一実施例により提供される選択可能な実施形態による洗濯乾燥一体機の複数の作動状態を説明する。
【００６９】
第２のドラムのみが乾燥状態になっている場合、乾燥コンポーネント１３及び送風コンポーネント１４は作動する。板状方向変換機関１７は第２のドラムへ空気を送入する状態になり、メインモータ１０は作動する。第１の変速クラッチ１１は切れており、第２の変速クラッチ１２はつながっている。メインモータ１０は第２のドラムを駆動して回転させる。したがって、第２のドラムのみが乾燥を行って第１のドラムは作動しない、というようなモードが実現される。
【００７０】
第１のドラムのみが乾燥状態になっている場合、乾燥コンポーネント１３及び送風コンポーネント１４は作動する。板状方向変換機関１７は第１のドラムへ空気を送入する状態になり、メインモータ１０は作動する。第２の変速クラッチ１２は切れており、第１の変速クラッチ１１はつながっている。メインモータ１０は第１のドラムを駆動して回転させる。したがって、第１のドラムのみが乾燥を行って第２のドラムは作動しない、というようなモードが実現される。
【００７１】
第１のドラムのみが洗濯状態になっている場合、乾燥コンポーネント１３及び送風コンポーネント１４は作動せず、メインモータ１０は作動する。第１の変速クラッチ１１はつながっており、第２の変速クラッチ１２は切れている。メインモータ１０は第１のドラムを駆動して回転させ、プログラムによって第１の変速クラッチ１１の変速機の動力伝達比を自動的に調整して、第１のドラムの洗濯時及び脱水時における第１の内部ドラム４の回転速度を調整する。このとき、乾燥機能と関わるシステム全体（例えば、乾燥コンポーネント１３と送風コンポーネント１４など）及び第２のドラムはすべて作動しない。
【００７２】
第１のドラムのみの洗濯乾燥状態においては、第１のドラムのみの洗濯状態を基礎として、追加で乾燥コンポーネント１３及び送風コンポーネント１４が作動し、板状方向変換機関１７が第１のドラムへ空気を送入して乾燥を行う。第２のドラムは作動しない。
【００７３】
第２のドラムのみの洗濯状態になっている場合、乾燥コンポーネント１３及び送風コンポーネント１４は作動せず、メインモータ１０は作動する。第１の変速クラッチ１１は切れており、第２の変速クラッチ１２はつながっている。メインモータ１０は第２のドラムを駆動して回転させ、プログラムによって第２の変速クラッチ１２の変速機の動力伝達比を自動的に調整して、第２のドラムの洗濯時及び脱水時における第２の内部ドラム２の回転速度を調整する。このとき、乾燥機能と関わるシステム全体（例えば、乾燥コンポーネント１３と送風コンポーネント１４など）及び第１のドラムはすべて作動しない。
【００７４】
第２のドラムのみの洗濯乾燥状態においては、第２のドラムのみの洗濯状態を基礎として、追加で乾燥コンポーネント１３及び送風コンポーネント１４が作動し、板状方向変換機関１７が第２のドラムへ空気を送入して乾燥を行う。第１のドラムは作動しない。
【００７５】
第１のドラムが洗濯を行って第２のドラムが乾燥を行う状態において、乾燥コンポーネント１３及び送風コンポーネント１４は作動し、メインモータ１０も作動する。第１の変速クラッチ１１はつながっており、第２の変速クラッチ１２もつながっている。メインモータ１０は、第１のドラム及び第２のドラムを同時に駆動して回転させ、プログラムによって第１の変速クラッチ１１の変速機の動力伝達比を自動的に調整して、第１のドラムの洗濯時及び脱水時における第１の内部ドラム４の回転速度を調整する。それとともに、プログラムによって第２の変速クラッチ１２の変速機の動力伝達比を自動的に調整して、第２のドラムの乾燥時における第２の内部ドラム２の回転速度を調整する。板状方向変換機関１７は第２のドラムへ空気を送入する状態になる。このとき、第１のドラムは洗濯を行い、第２のドラムは乾燥を行う。
【００７６】
第１のドラムが乾燥を行って第２のドラムが洗濯を行う状態において、乾燥コンポーネント１３及び送風コンポーネント１４は作動し、メインモータ１０も作動する。第１の変速クラッチ１１はつながっており、第２の変速クラッチ１２もつながっている。メインモータ１０は、第１のドラム及び第２のドラムを同時に駆動して回転させ、プログラムによって第２の変速クラッチ１２の変速機の動力伝達比を自動的に調整して、第２のドラムの洗濯時及び脱水時における第２の内部ドラム２の回転速度を調整する。それとともに、プログラムによって第１の変速クラッチ１１の変速機の動力伝達比を自動的に調整して、第１のドラムの乾燥時における第１の内部ドラム４の回転速度を調整する。板状方向変換機関１７は第１のドラムへ空気を送入する状態になる。このとき、第１のドラムは乾燥を行い、第２のドラムは洗濯を行う。
【００７７】
第１のドラム及び第２のドラムが同時に乾燥を行う状態において、乾燥コンポーネント１３及び送風コンポーネント１４は作動し、メインモータ１０も作動する。第１の変速クラッチ１１はつながっており、第２の変速クラッチ１２もつながっている。メインモータ１０は、第１のドラム及び第２のドラムを同時に駆動して回転させる。板状方向変換機関１７は、第１のドラム及び第２のドラムへ同時に空気を送入する状態になる。このとき、第１のドラム及び第２のドラムは同時に乾燥を行う。
【００７８】
第２のドラム及び／又は第１のドラムが除菌、消臭を行う状態において、乾燥コンポーネント１３は作動せず、陰イオン発生器は作動し、送風コンポーネント１４は作動する。第１のドラム、第２のドラムの作動状態に従って、それぞれのクラッチが切り替えられ、対応する板状方向変換機関１７の状態が調整される。第２のドラムのみが除菌消臭を行う場合、第１の変速クラッチ１１は切れており、第２の変速クラッチ１２はつながっており、板状方向変換機関１７は第２のドラムへ空気を送入する状態になる。第１のドラムのみが除菌消臭を行う場合、第１の変速クラッチ１１はつながっており、第２の変速クラッチ１２は切れており、板状方向変換機関１７は第１のドラムへ空気を送入する状態になる。第１のドラム及び第２のドラムが同時に除菌消臭を行う場合、第１の変速クラッチ１１はつながっており、第２の変速クラッチ１２もつながっており、板状方向変換機関１７は第１のドラム及び第２のドラムへ同時に空気を送入する状態になる。
【００７９】
上述の内容を基にして、本発明の一実施例は、上述の洗濯乾燥一体機に対する制御方法を更に提供する。当該制御方法は以下のステップを含む。
【００８０】
Ｓ１００：乾燥モードへ切り替えるとのリクエストを受信した後、前記第１のドラム及び前記第２のドラムの動作モードを検出する。
【００８１】
Ｓ２００：検出結果に従って以下の動作を実行する。
【００８２】
前記第１のドラムが乾燥モードになっており且つ前記第２のドラムが乾燥モードになっていない場合、前記ダクト制御装置によって前記ダクトコンポーネントと前記第１のドラムとを連通させるとともに、前記ダクトコンポーネントと前記第２のドラムとを隔絶させる。
【００８３】
前記第１のドラムが乾燥モードになっておらず且つ前記第２のドラムが乾燥モードになっている場合、前記ダクト制御装置によって前記ダクトコンポーネントと前記第１のドラムとを隔絶させるとともに、前記ダクトコンポーネントと前記第２のドラムとを連通させる。
【００８４】
前記第１のドラム及び前記第２のドラムが両方とも乾燥モードになっている場合、前記ダクト制御装置によって前記ダクトコンポーネントと前記第１のドラムとを連通させるとともに、前記ダクトコンポーネントと前記第２のドラムとを連通させる。
【００８５】
Ｓ３００：前記乾燥システムを制御して乾燥動作を実行させる。すなわち、乾燥コンポーネント１３及び送風コンポーネント１４が作動する。
【００８６】
選択的に、一実施例において、本発明の例示的な一実施例により提供される制御方法の制御プロセスは図８に示す通りである。
【００８７】
当該制御方法は、少なくとも１つのドラムが乾燥モードに切り替えられてから開始する。少なくとも１つのドラムが乾燥モードに切り替えられた後、ステップＳ１を実行する。次に、第１のドラム及び第２のドラムの動作状態を検出し、すなわちステップＳ２を実行する。まずは１つのドラムの動作状態を検出し（例えば、上に位置する第２のドラムの状態を先に検出する）、すなわちステップＳ３を実行する。また、先に検出されるドラムが乾燥モードになっているか否かと関係なく、次には他の１つのドラムの動作状態を検出し（例えば、下に位置する第１のドラムの動作状態を次に検出する）、すなわちステップＳ４又はステップＳ８を実行する。
【００８８】
第２のドラムが乾燥モードになっており且つ第１のドラムが乾燥モードになっていないという検出結果が得られた場合、プログラムによって板状方向変換機関１７の駆動モータを制御して、板状方向変換機関１７が第２の状態（図４に示すよう）になるように調整し、すなわちステップＳ１０を実行する。このとき、ダクトコンポーネントは、第１のドラムとは隔絶され、第２のドラムとは連通される。第２のドラムは乾燥を行う。
【００８９】
第２のドラムが乾燥モードになっておらず且つ第１のドラムが乾燥モードになっているという検出結果が得られた場合、プログラムによって板状方向変換機関１７の駆動モータを制御して、板状方向変換機関１７が第１の状態（図３に示すよう）になるように調整し、すなわちステップＳ１１を実行する。このとき、ダクトコンポーネントは、第１のドラムとは連通され、第２のドラムとは隔絶される。第１のドラムは乾燥を行う。
【００９０】
第１のドラム及び第２のドラムが両方とも乾燥モードになっているという検出結果が得られた場合、プログラムによって板状方向変換機関１７の駆動モータを制御して、板状方向変換機関１７が第３の状態（図５に示すよう）になるように調整し、すなわちステップＳ９を実行する。このとき、ダクトコンポーネントは、第１のドラム及び第２のドラムと同時に連通される。第１のドラムと第２のドラムは両方とも乾燥を行う。
【００９１】
以上の３種類の検出結果が得られた場合、板状方向変換機関１７を調整した後（すなわちステップＳ９、Ｓ１０又はＳ１１を実行した後）、乾燥コンポーネント１３の動作状況を再度検出し、すなわちステップＳ１２を実行する。乾燥コンポーネント１３が作動していないと検出した場合、乾燥コンポーネント１３を起動し、すなわちステップＳ１３を実行する。乾燥コンポーネント１３が既に作動していると検出した場合、どのような操作も行わない。
【００９２】
そのあと、送風コンポーネント１４の動作状況を検出し、すなわちステップＳ１４を実行する。送風コンポーネントが作動していないと検出した場合、送風コンポーネントを起動し、すなわちステップＳ１５を実行する。送風コンポーネントが作動していると検出した場合、どのような操作も行わない。
【００９３】
乾燥を行う間、以上のプロセスを繰り返して実行する。第１のドラム及び第２のドラムが両方とも乾燥モードになっていないと検出した場合、乾燥コンポーネント１３を停止し、すなわちステップＳ５を実行する。さらに送風コンポーネント１４を停止し、すなわちステップＳ６を実行する。プロセスはこれで終了し、すなわちステップＳ７を実行する。
【００９４】
送風コンポーネント１４が作動している間、陰イオン発生器を起動してもよく、停止してもよい。
【００９５】
なお、当業者が理解できる通り、以上の各選択可能な技術案は矛盾が発生しない限り、自由に組み合わせたり、積み重ねたりされることができる。
【００９６】
なお、以上の実施形態は例示的なものであり、制限的なものではない。本発明の実施例により提供される基本原理から逸脱しない限り、当業者は以上の内容に対して様々な明らかな又は同等な変更や交換を行うことができ、且つそれらはすべて本発明の実施例に係る特許請求の範囲に属するべきである。
【図１】
2021508568.tif 000003
【図２】
2021508568.tif 000004
【図３】
2021508568.tif 000005
【図４】
2021508568.tif 000006
【図５】
2021508568.tif 000007
【図６】
2021508568.tif 000008
【図７】
2021508568.tif 000009
【図８】
2021508568.tif 000010
【手続補正書】
【提出日】令和2年7月7日(2020.7.7)
【手続補正１】
【補正対象書類名】特許請求の範囲
【補正対象項目名】全文
【補正方法】変更
【補正の内容】
【特許請求の範囲】
【請求項１】
洗濯乾燥一体機として配置される乾燥システムであって、
前記洗濯乾燥一体機は、並列配置される第１のドラム及び第２のドラムを備え、
前記乾燥システムはダクトコンポーネントを備え、前記ダクトコンポーネントの中においてはダクト制御装置が配置されており、
前記ダクト制御装置は、前記ダクトコンポーネントと前記第１のドラムとを連通又は隔絶させること、及び／又は、前記ダクトコンポーネントと前記第２のドラムとを連通又は隔絶させることによって、乾燥気流を前記第１のドラム及び／又は前記第２のドラムの中に送入する
ことを特徴とする乾燥システム。
【請求項２】
前記乾燥システムは送風コンポーネントと乾燥コンポーネントとを更に備え、
前記送風コンポーネントは気流を作成して、前記乾燥コンポーネントにより発生される熱を前記ダクトコンポーネントを介して前記第１のドラム及び／又は前記第２のドラムに送入する
ことを特徴とする請求項１に記載の乾燥システム。
【請求項３】
前記ダクトコンポーネントは送風ダクト、第１の給気ダクト及び第２の給気ダクトを備え、前記送風ダクトは前記送風コンポーネントの送風部と連通し、前記第１の給気ダクトは前記送風ダクトと前記第１のドラムとを連通させ、前記第２の給気ダクトは前記送風ダクトと前記第２のドラムとを連通させ、及び／又は、
前記ダクトコンポーネントは第１の空気回収管と第２の空気回収管とを備え、前記第１の空気回収管は、前記第１のドラムと前記送風コンポーネントの空気回収部とを連通させ、前記第２の空気回収管は、前記第２のドラムと前記送風コンポーネントの空気回収部とを連通させる
ことを特徴とする請求項２に記載の乾燥システム。
【請求項４】
前記ダクト制御装置は、前記送風ダクトと前記第１の給気ダクトと前記第２の給気ダクトとの三者の交差部に配置される板状方向変換機関を備え、又は、
前記ダクト制御装置は、前記第１の給気ダクトと前記第２の給気ダクトとのそれぞれに配置される開閉部品を備える
ことを特徴とする請求項３に記載の乾燥システム。
【請求項５】
前記板状方向変換機関が第１の位置まで回転すると、前記第２の給気ダクトの入口が遮断されて、前記送風ダクトと前記第１の給気ダクトとが連通し、
前記板状方向変換機関が第２の位置まで回転すると、前記第１の給気ダクトの入口が遮断されて、前記送風ダクトと前記第２の給気ダクトとが連通し、
前記板状方向変換機関が第１の位置と第２の位置との間の位置まで回転すると、前記送風ダクトと前記第１の給気ダクトと前記第２の給気ダクトとの三者が互いに連通する
ことを特徴とする請求項４に記載の乾燥システム。
【請求項６】
前記第１の給気ダクト及び／又は前記第２の給気ダクトは、少なくとも一部が蛇腹管であり、及び／又は、
前記第１の空気回収管及び／又は前記第２の空気回収管は、少なくとも一部が蛇腹管である
ことを特徴とする請求項３乃至５のいずれか一項に記載の乾燥システム。
【請求項７】
前記乾燥コンポーネントは熱ポンプシステムを備え、前記熱ポンプシステムにおける蒸発器と凝縮器とは、前記ダクトコンポーネントの中で乾燥気流の流れ方向に沿って順次配置され、又は、
前記乾燥コンポーネントは電気加熱装置を備え、前記電気加熱装置は少なくとも部分的に前記ダクトコンポーネントの中に配置される
ことを特徴とする請求項２乃至６のいずれか一項に記載の乾燥システム。
【請求項８】
乾燥気流の流れ方向において、前記熱ポンプシステムは前記送風コンポーネントの上流側に配置され、又は、
乾燥気流の流れ方向において、前記電気加熱装置は前記送風コンポーネントの下流側に配置される
ことを特徴とする請求項７に記載の乾燥システム。
【請求項９】
並列配置される第１のドラム及び第２のドラムと、請求項１乃至８のいずれか一項に記載の乾燥システムと、を備える
ことを特徴とする洗濯乾燥一体機。
【請求項１０】
陰イオン除菌コンポーネントを更に備え、
前記陰イオン除菌コンポーネントは、少なくとも部分的に前記ダクトコンポーネントの中に配置されて、前記ダクトコンポーネントを介して前記第１のドラム及び／又は前記第２のドラムへ陰イオンを供給し、及び／又は、
前記第１のドラムと前記第２のドラムとは、上下方向において並列配置される
ことを特徴とする請求項９に記載の洗濯乾燥一体機。
【請求項１１】
前記第１のドラム及び／又は前記第２のドラムの振動を抑制する制振システムを更に備える
ことを特徴とする請求項９又は１０に記載の洗濯乾燥一体機。
【請求項１２】
前記制振システムは、
前記第１のドラムの下方に配置されるダンパーと、前記第２のドラムの下方に配置されるダンパーと、前記第１のドラムの上方に配置される制振ばねと、前記第２のドラムの上方に配置される制振ばねと、のうちの少なくとも１つを備える
ことを特徴とする請求項１１に記載の洗濯乾燥一体機。
【請求項１３】
乾燥モードへ切り替えるとのリクエストを受信した後、前記第１のドラム及び前記第２のドラムの動作モードを検出するステップＳ１００と、
検出結果に従って、
前記第１のドラムが乾燥モードになっており且つ前記第２のドラムが乾燥モードになっていない場合、前記ダクト制御装置によって前記ダクトコンポーネントと前記第１のドラムとを連通させるとともに、前記ダクトコンポーネントと前記第２のドラムとを隔絶させること、
前記第１のドラムが乾燥モードになっておらず且つ前記第２のドラムが乾燥モードになっている場合、前記ダクト制御装置によって前記ダクトコンポーネントと前記第１のドラムとを隔絶させるとともに、前記ダクトコンポーネントと前記第２のドラムとを連通させること、
前記第１のドラムと前記第２のドラムとが両方とも乾燥モードになっている場合、前記ダクト制御装置によって前記ダクトコンポーネントと前記第１のドラムとを連通させるとともに、前記ダクトコンポーネントと前記第２のドラムとを連通させること、を実行するステップＳ２００と、
前記乾燥システムを制御して乾燥動作を実行させるステップＳ３００と、を含む
ことを特徴とする請求項９乃至１２のいずれか一項に記載の洗濯乾燥一体機を制御する方法。
【手続補正２】
【補正対象書類名】明細書
【補正対象項目名】００５２
【補正方法】変更
【補正の内容】
【００５２】
対象ドラム内における湿気を含んだ温風は、送風コンポーネント１４によりドラムの中から出され、まずは第１の空気回収管１９及び／又は第２の空気回収管２０を通る。対応する空気回収管の内壁において冷却水が流れており、湿気を含んだ温風は冷却水と接触して冷却されて、乾燥した空気になり、降温と除湿を実現する。凝縮される結露水は重力を受けて洗濯乾燥一体機の底部まで流れ、排水部により排出される。除湿されて乾燥した空気は、送風コンポーネント１４により電気加熱装置７１へ移動され、加熱されて乾燥した温風になる。乾燥した温風になるは、第２のドラムの底部及び／又は第１のドラムの後部から対象ドラムに送入され、濡れている衣類と接触して熱交換を行うことによって、衣類からの水分と一緒に湿気を含んだ温風を形成する。そのあと、湿気を含んだ温風は、送風コンポーネント１４の吸引力を受けて、対応する排気口から流れ出てから、再び対応する空気回収管において冷却水により除湿される。このように繰り返して循環することによって、衣類の乾燥を実現する。
【手続補正３】
【補正対象書類名】明細書
【補正対象項目名】００６６
【補正方法】変更
【補正の内容】
【００６６】
選択的に、一実施例において、前記制振システムは、前記第１のドラムの下方に配置されるダンパー６と、前記第２のドラムの下方に配置されるダンパー６と、前記第１のドラムの上方に配置される制振ばね２４と、前記第２のドラムの上方に配置される制振ばね５と、のうちの少なくとも１つを備える。例えば、筐体１００の上部及び中部においては、制振ばね５、２４を吊るすように設けられる吊るし構造が配置される。図面に示す実施形態において、制振システムは少なくとも、第２のドラムの上方に位置する１セットの制振ばね５（２つ以上）と、第１のドラムの外部ドラム３の上方に位置する１セットの制振ばね２４（２つ以上）と、第１の外部ドラム３の底部に位置する少なくとも２つのダンパー６と、を備える。こうすると、制振システムは第１のドラム、第２のドラムに対して効果的に制振を行うことができる。
【手続補正４】
【補正対象書類名】図面
【補正対象項目名】図８
【補正方法】変更
【補正の内容】
【図８】
2021508568.tif 000011
【国際調査報告】
2021508568.tif 000012
2021508568.tif 000013
2021508568.tif 000014
2021508568.tif 000015